(57)【特許請求の範囲】
【請求項１】
複数の動作機能を備えた携帯端末装置であって、
前記複数の動作機能の内でタイマ計測機能を動作させた際は、当該タイマ計測機能によるタイマ計測状態を表示画面内の主表示エリアに表示する第1制御手段と、
前記タイマ機能の動作中にあって、当該タイマ計測機能とは異なる所定の動作機能の動作が選択された際は、当該所定の動作機能に基づく動作表示内容を前記表示画面内の主表示エリアに表示すると共に、前記タイマ計測機能に基づくタイマ計測動作を継続しつつ当該タイマ計測動作に基づくタイマ計測状態を前記表示画面内の副表示エリアに切り替えて表示する第２制御手段と、
前記所定の動作機能の動作中にあって、前記タイマ計測状態がタイムアップの所定時間前に達した際は当該タイマ計測状態を強調表示し、その後のタイムアップ時は、タイムアップ報知すると共に当該タイマ計測機能の動作を終了し、前記表示画面内の副表示エリアに表示されていたタイマ計測表示をオフする第３制御手段と、
を具備したことを特徴とする携帯端末装置。
【請求項２】
前記所定の動作機能の動作終了時に、前記タイマ計測機能が動作中であればその時点の前記タイマ計測状態を前記表示画面内の主表示エリアに一時的に表示する第４制御手段と、
を更に具備したことを特徴とする請求項１記載の携帯端末装置。
【請求項３】
前記所定時間前は、タイムアップ直前の時間であり、前記報知手段は、この所定時間前からタイムアップまでの間、前記計測状況を継続して割り込み報知する、
ようにしたことを特徴とする請求項1記載の携帯端末装置。
【請求項４】
前記所定時間前は、タイムアップまでの複数の節目時間であり、前記報知手段は、この所定時間前に達する毎に前記計測状況を一時的に割り込み報知する、
ようにしたことを特徴とする請求項1記載の携帯端末装置。
【請求項５】
前記所定時間前は、前記タイマ設定時間に対する所定割合毎の時間であり、前記報知手段は、この所定時間前に達する毎に前記計測状況を一時的に割り込み報知する、
ようにしたことを特徴とする請求項1記載の携帯端末装置。
【請求項６】
前記携帯端末装置は、無線通信機能を有する携帯電話端末装置であって、
前記副表示エリアは、当該携帯電話端末装置の表示画面内の端位置において前記無線通信機能での電波受信状態を表示するステータス表示エリアであり、前記タイマ計測状態を当該ステータス表示エリア内において前記電波受信状態と共に表示する、
ようにしたことを特徴とする請求項1記載の携帯端末装置。
【請求項７】
コンピュータに対して、
複数の動作機能の内でタイマ計測機能を動作させた際は、当該タイマ計測機能によるタイマ計測状態を表示画面内の主表示エリアに表示する機能と、
前記タイマ機能の動作中にあって、当該タイマ計測機能とは異なる所定の動作機能の動作が選択された際は、当該所定の動作機能に基づく動作表示内容を前記表示画面内の主表示エリアに表示すると共に、前記タイマ計測機能に基づくタイマ計測動作を継続しつつ当該タイマ計測動作に基づくタイマ計測状態を前記表示画面内の副表示エリアに切り替えて表示する機能と、
前記所定の動作機能の動作中にあって、前記タイマ計測状態がタイムアップの所定時間前に達した際は当該タイマ計測状態を強調表示し、その後のタイムアップ時は、タイムアップ報知すると共に当該タイマ計測機能の動作を終了し、前記表示画面内の副表示エリアに表示されていたタイマ計測表示をオフする機能と、
を実現させるためのプログラム。
【発明の詳細な説明】
【技術分野】
【０００１】
この発明は、予め設定されているタイマ設定時間を計測するタイマ機能を備えた携帯端末装置及びプログラムに関する。
【背景技術】
【０００２】
従来、携帯端末装置には、計時機能（時計機能、タイマ機能など）が備えられているが、タイマ機能付きの携帯電話装置としては、例えば、カメラセルフタイマを利用して撮影する場合に、撮影の３秒前になると、カウントダウン表示を行うようにしたセルフタイマ撮影機能付きの携帯電話装置が知られている（特許文献１参照）。
【特許文献１】特開２００４−２８２３９９号公報
【発明の開示】
【発明が解決しようとする課題】
【０００３】
この特許文献の携帯電話装置にあっては、撮影の３秒前のカウントダウン表示によってタイムアップ直前であることを知り得ることで撮影準備を行うことができるため、撮影失敗を効果的に防ぐことが可能となるが、タイマ機能がフォアグランドとして動作していることを前提とする技術であった。
【０００４】
ところで、携帯端末装置には、通話機能以外にも電子メール機能、テレビ機能、カメラ機能など、各種の機能が搭載されており、タイマ設定時間が例えば、２０分、３０分のように長い場合には、タイマ作動中の時間（タイムアップまでの時間）を利用してメール作成を行ったり、テレビを視聴するために、タイマ機能をバックグランドとして動作させ、メール機能／テレビ機能などをフォアグランドとして動作させることが多くなる。このようなマルチタスク環境において、タイマ機能がバックグランドでタイムアップとなると、メール作成中、テレビ視聴中にアラーム音によるタイムアップ報知が行われることになり、メール作成、テレビ視聴に集中している状態での突然のアラーム音の発生は、ユーザを驚かすと共に、タイムアップ時の対応を遅くさせるという問題を起こす。
【０００５】
この発明の課題は、タイマ機能の計測動作中にタイマ機能以外の機能が選択されている場合でも、タイマ機能の計測状況を効果的に確認できるようにすることである。
【課題を解決するための手段】
【０００６】
請求項１記載の本発明は、複数の動作機能を備えた携帯端末装置であって、前記複数の動作機能の内でタイマ計測機能を動作させた際は、当該タイマ計測機能によるタイマ計測状態を表示画面内の主表示エリアに表示する第1制御手段と、前記タイマ機能の動作中にあって、当該タイマ計測機能とは異なる所定の動作機能の動作が選択された際は、当該所定の動作機能に基づく動作表示内容を前記表示画面内の主表示エリアに表示すると共に、前記タイマ計測機能に基づくタイマ計測動作を継続しつつ当該タイマ計測動作に基づくタイマ計測状態を前記表示画面内の副表示エリアに切り替えて表示する第２制御手段と、前記所定の動作機能の動作中にあって、前記タイマ計測状態がタイムアップの所定時間前に達した際は当該タイマ計測状態を強調表示し、その後のタイムアップ時は、タイムアップ報知すると共に当該タイマ計測機能の動作を終了し、前記表示画面内の副表示エリアに表示されていたタイマ計測表示をオフする第３制御手段と、を具備したことを特徴とする。
更に、コンピュータに対して、上述した請求項１記載の発明に示した主要機能を実現させるためのプログラムを提供する（請求項７記載の発明）。
【発明の効果】
【００１５】
請求項１記載の発明によれば、タイマ計測動作中にあって他の所定動作機能の動作が主となるように表示させたとしても副表示エリア内でタイマ計測状態は確認することができ、またタイムアップの所定時間前にあってはそのタイム計測状態が強調表示されることで確実にその状態を知ることができる。
【発明を実施するための最良の形態】
【００１８】
（実施例１）
以下、図１〜図７を参照して本発明の第1実施例を説明する。
この実施例は、携帯端末装置として携帯電話装置に適用した場合を例示したもので、図１は、この携帯電話装置の基本的な構成要素を示したブロック図であり、図２は、折り畳み型の携帯電話装置を開いた状態の概略斜視図である。
この携帯電話装置は、例えば、２つの筐体が開閉可能に取り付けられた折り畳み自在なもので、通話機能、電子メール機能、インターネット接続機能のほか、予め任意に設定されたタイマ設定時間を１秒毎にカウントダウンしてその残り時間を逐次表示するタイマ機能及びテレビ放送電波を受信して映像出力・音声出力するテレビ機能などが備えられている。なお、この実施例の特徴部分を詳述する前に、この実施例のハードウェア上の構成について以下、説明しておく。
【００１９】
ＣＰＵ１は、記憶部２内の各種のプログラムに応じてこの携帯電話装置の全体動作を制御する中核的な中央演算処理装置であり、このメインＣＰＵ１のほか、この携帯電話装置には、機能別に複数のサブＣＰＵ（図示せず）を有する構成となっている。記憶部２は、不揮発性メモリ(内部メモリ)であり、例えば、フラッシュメモリなどによって構成され、プログラム領域とデータ領域とを有し、このプログラム領域には、後述する図４〜図７に示す動作手順に応じて本実施例を実現するためのプログラムが格納されている。記録メディア３は、着脱自在な可搬型メモリで、画像データ、各種のデータ、プログラムなどを外部供給するもので、例えば、スマートメディア、ＩＣカードなどによって構成されている。
【００２０】
メモリ４は、ワーク領域を有する内部メモリで、例えば、ＤＲＡＭ、ＳＤＲＡＭ（Synchronous DRAM）などによって構成されている。このメモリ４には、カウントダウンタイマ（減算タイマ）を構成するタイマ領域ＴＭと、タイマ作動中フラグＦＧが設けられており、初期設定された任意のタイマ設定時間がタイマ領域ＴＭにセットされている状態において、ＣＰＵ１は、タイマ設定時間を１秒毎にカウントダウンしてその残り時間を測定する。タイマ作動中フラグＦＧは、タイマ開始操作時にセットされ、タイムアップ時にリセットされるフラグである。
【００２１】
この実施例においては、タイマ機能の計測動作中にタイマ機能以外の機能（通話機能／メール機能／テレビ機能など）をフォアグランドとして動作可能となっており、ＣＰＵ１は、タイマ機能の計測動作中にタイマ機能以外の機能として通話機能／メール機能／テレビ機能などが選択されて当該機能をフォアグランドとして動作させている状態において、タイマ機能の計測値（タイマ計測値）に基づいてタイムアップの所定時間前（例えば、１０秒前）に達したか否かを判別し、タイムアップの１０秒前であれば、この時点からタイムアップまでの間、選択機能対応画面内にタイマ計測値を拡大表示（強調表示）させるようにしている。
【００２２】
電話通信部５は、無線部を構成するアンテナ５Ａに接続された送受信部（ベースバンド部）の受信側から信号を取り込んで受信ベースバンド信号に復調したのち、この音声データを音響制御部６に与えて受話スピーカ７あるいは背面スピーカ８から出力させたり、送話マイク９から入力された音声データを音響制御部６から取り込み、送信ベースバンド信号に符号化したのちに送受信部の送信側に与えられてアンテナ５Ａから発信出力させる。音響制御部６は、音声データをデジタル／アナログ変換したり、ユーザ操作に応じて電子ボリュームを作動させて音量レベルを調整したり、音響出力先の切り替えなどを行う。
【００２３】
テレビ受信部１０は、ＴＶアンテナ１０Ａを備え、携帯電話などの携帯受信機向けの地上波デジタルテレビ放送を受信するもので、テレビ映像及び音声情報以外にも電子番組表(ＥＰＧ)なども含めて受信可能である。テレビ受信部１０は、専用ＣＰＵ、ＴＶアンテナ１０Ａに接続されている受信部と、受信したテレビ放送を映像信号、音声信号に分離分離する増幅分離部と、圧縮データを解凍するデコード部などを有する構成となっており、このテレビ受信部１０から出力されたテレビ映像信号は、映像制御部１１を介してメイン表示部１２に表示され、また、テレビ音声信号は、音響制御部６を介して背面スピーカ８から出力される。
【００２４】
メイン表示部１２は、文字情報、テレビ映像、タイマ値、各種のメッセージなどを高品位にカラー表示する透過型液晶表示装置などであり、その背部には当該表示面を照明するバックライト(図示省略)が近接配置されている。ここで、図２に示すようにメイン表示部１２の主画面１２ａは、待受画面、テレビ画面、メール作成画面などとして使用されるが、上部側のピクトエリア１２ｂには、電波受信状況、電池残量などの各種のステータスのほか、タイマ機能の計測状況としてタイマ計測値が表示される。また、装置本体の背面側に設けられたサブ表示部１３は、現在日時、簡易なメッセージ、アイコンなどを表示する透過型液晶表示装置などである。
【００２５】
映像制御部１１は、ビデオＲＡＭなどを有する構成で、メイン表示部１２、サブ表示部１３に各種のデータをカラー表示させたり、バックライトの点灯などを制御する。キー操作部１４は、ダイヤル入力、文字入力、コマンド入力などを行うもので、図２に示すようにタイマ開始キーＫ１、テレビ放送の受信出力を開始させるテレビキーＫ２などを有し、ＣＰＵ１は、キー操作部１７からのキー入力信号に応じた処理を実行する。ＬＥＤ(発光ダイオード)１５、振動モータ１６は、着信報知時、アラーム報知時、タイマ機能のタイムアップ時などに駆動されるもので、ＣＰＵ１は、ＬＥＤ１５の点滅駆動を制御したり、振動モータ１６のバイブレーション駆動を制御する。
【００２６】
図３は、タイマ機能の計測動作中に行われる様々な報知を説明するための図である。
図３（Ａ）は、タイマ機能を起動していない場合の待受画面を示し、このピクトエリア１２ｂには「電波受信状況」、「電池残量」が案内表示されている。図３（Ｂ−１）は、タイマ開始キーＫ１を操作することによってタイマ機能をフォアグランドとして起動させた場合のタイマ計測時の表示状態を示し、この主画面１２ａにはタイマ計測値として“０４分４２秒”が表示されている場合を示している。図３（Ｃ−１）は、タイマ計測動作時の待受画面を示し、このピクトエリア１２ｂには、例えば、図示のようにタイマ計測値として“０４分０１秒”が数値表示（縮小表示）される。図３（Ｄ−１）は、タイマ機能の計測動作中にタイマ以外の他の機能（メール機能）がフォアグランドとして動作されている場合の表示状態を示し、主画面１２ａは他機能画面（メール作成画面）となる。この場合、ピクトエリア１２ｂには、例えば、図示のようにタイマ計測値として“０３分０２秒”が数値表示（縮小表示）される。
【００２７】
図３（Ｂ−２）は、タイマ機能をフォアグランドとして動作させている場合において、その計測値がタイムアップの所定時間前（例えば、１０秒前）に達した場合の表示状態を示している。この場合、主画面１２ａには、９秒前を示す“０９”の数値が太線で拡大表示される。この場合、ピクトエリア１２ｂにはタイマ計測値を縮小表示するようにしている。図３（Ｃ−２）は、タイマ計測動作時の待受画面において、タイマ計測値が“０４分００秒”、“０３分００秒”、“０２分００秒”のように“正分”に達した際の表示状態を示し、待受画面に切り替わって正分毎にタイマ計測値が２秒間表示される。この場合、ピクトエリア１２ｂにはタイマ計測値が縮小表示されたままとなっている。
【００２８】
同様に、図３（Ｄ−２）は、タイマ機能の計測動作中にタイマ以外の他の機能（メール機能）がフォアグランドとして動作されている場合において、タイマ計測値が“０３分００秒”のように“正分”に達した際の表示状態を示し、他機能画面（メール作成画面）には正分毎にタイマ計測値が２秒間ポップアップ割込表示される。この場合、ピクトエリア１２ｂにはタイマ計測値が縮小表示されたままとなっている。
【００２９】
次にこの第１実施例における携帯電話装置の動作概念を図４〜図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
【００３０】
図４及び図６は、電源投入に伴って実行開始される携帯電話装置の全体動作を示したフローチャートであり、図７は、通話処理の詳細を示したフローチャートである。以下、図３の表示変遷図に沿って携帯電話装置の全体動作を説明する。
先ず、ＣＰＵ１は、待受状態において所定の待受画像を読み出してメイン表示部１２に表示出力させる（ステップＡ１）。これによってメイン表示部１２の主画面１２ａには、図３（Ａ）に示すような待受画面が表示出力される。この待受状態において、ＣＰＵ１は、電話通信部５からの信号に基づいて通話着信の有無をチェックし(ステップＡ２)、通話着信が無ければ、メモリ４内のタイマ作動中フラグＦＧを参照してそのセット有無をチェックする（ステップＡ６）。
【００３１】
この結果、タイマ機能が非作動中であれば（ステップＡ６でＮＯ）、ステップＡ１８に移り、何らかの操作が行われたかをチェックし、操作無しの場合には、ステップＡ１に戻って待受状態となるが、何らかの操作が行われたときには（ステップＡ１８でＹＥＳ）、メール機能、タイマ機能、テレビ機能などを選択するための機能選択操作が行われたかをチェックする（ステップＡ１９）。ここで、機能選択以外の操作であれば（ステップＡ１９でＮＯ）、その操作に応じた操作対応処理を実行したのち（ステップＡ２０）、待受状態に戻るが（ステップＡ１）、機能選択操作が行われた場合には（ステップＡ２０でＹＥＳ）、タイマ機能が選択されたのかをチェックし（ステップＡ２１）、タイマ機能の選択であれば、以下、図５のフローに移る。
【００３２】
すなわち、ＣＰＵ１は、タイマ機能がフォアグランドとして選択されると、タイマ作動中フラグＦＧを参照してそのセット有無をチェックするが（ステップＡ２２）、機能選択の最初の時点では、タイマ作動中フラグＦＧはリセットされているので、ステップＡ２３に移り、任意のタイマ設定時間（例えば、３０分）をタイマ領域ＴＭに初期設定する処理が行われる。そして、タイマ開始キーＫ１が操作されると（ステップＡ２４）、このタイマ設定時間に基づいてその半分の時間であるハーフタイム値を算出し、このハーフタイム値をメモリ４に一時記憶しておく（ステップＡ２５）。例えば、タイマ設定時間が“３０分”であれば、ハーフタイム値として“１５分”がセットされる。そして、タイマ開始キーＫ１の操作に応答してカウントダウンタイマの計測動作を開始させると共に（ステップＡ２６）、タイマ作動中フラグＦＧをセットしておく（ステップＡ２７）。
【００３３】
このようにしてタイマ機能を作動させたのちは、ステップＡ２８に移り、タイマ計測値を取得してメイン表示部１２の主画面１２ａ（タイマ画面）に表示出力させる。これによって図３（Ｂ−１）に示すようなタイマ画面には、機能名表示「カウントダウンタイマ」と共に、そのタイマ計測値「０４分４２秒」が画面中央部に数値表示される。この状態において、電話の通話着信の有無をチェックしたり（ステップＡ２９）、操作有無をチェックし（ステップＡ３１）、更には、タイマ計測値を取得してタイムアップの所定時間前（１０秒前）に達したかをチェックし（ステップＡ３８）、何れのステップＡ２９、Ａ３１、Ａ３８でそれぞれ「ＮＯ」と判断されている間、ステップＡ２８に戻ってタイマ計測値を主画面１２ａに表示出力させる。
【００３４】
この状態において、操作有りが検出されると（ステップＡ３１でＹＥＳ）、タイマ機能以外の別機能としてメール機能、テレビ機能などを選択する機能選択操作が行われたのかを調べ（ステップＡ３２）、機能選択以外の操作であれば（ステップＡ３２でＮＯ）、タイマ計測動作の解除を指示するタイマ停止操作が行われたかをチェックする（ステップＡ３３）。いま、解除以外の操作が行われた場合には（ステップＡ３３でＮＯ）、その操作に応じた操作対応処理を実行したのち（ステップＡ３４）、ステップＡ２８に戻る。なお、解除操作であれば（ステップＡ３３でＹＥＳ）、タイマ作動中フラグＦＧをリセットしたのち（ステップＡ３５）、待受状態に戻る（図４のステップＡ１）。
【００３５】
また、タイムアップの所定時間前（１０秒前）に達したことを検出すると（ステップＡ３８でＹＥＳ）、このピクトエリア１２ｂに「電波受信状況」、「電池残量」のほか、「タイマ測定値」を縮小表示させたのち（ステップＡ３９）、図４のステップＡ１２に移る。すなわち、タイマ機能がフォアグランドとして作動している状態において、タイムアップの所定時間前（１０秒前）に達した際には、現時点からタイムアップまでの間、タイマ計測値を拡大表示（強調表示）させる処理が行われる。すなわち、図３（Ｂ−２）に示すように、先ず、タイマ計測値（０９秒）がタイマ画面に１秒間拡大表示（強調表示）される。そして、タイムアップ“００秒”に達したかをチェックし（ステップＡ１３）、タイムアップに達するまでステップＡ１２に戻り、タイマ計測値を順次拡大表示させる。これによってタイマ計測値は、“０９秒”、“０８秒”、“０７秒”、‥‥、“０１秒”のように順次拡大表示される。
【００３６】
そして、タイムアップ“００秒”になると（ステップＡ１３でＹＥＳ）、背面スピーカ８からアラーム音を発生させてタイムアップ報知が行われる（ステップＡ１４）。この場合のタイムアップ報知は、例えば、アラーム音を一定間隔毎に継続出力させるほか、例えば、ＬＥＤ１５を点滅駆動させるようにしてもよい。ここで、アラーム解除操作に応答して（ステップＡ１５でＹＥＳ）、ピクトエリア１２ｂに表示されている「タイマ測定値」を消去すると共に（ステップＡ１６）、タイマ作動中フラグＦＧをリセットしたのち（ステップＡ１７）、待受状態に戻る（ステップＡ１）。一方、タイマ機能作動中において、電話の通話着信を検出した場合には（ステップＡ２９でＹＥＳ）、着信音を発生する着信報知と共に、図７に示す通話処理に移る（ステップＡ３０）。
【００３７】
先ず、ＣＰＵ１は、電話の通話開始操作（オフフック操作）に応じて相手先との接続が確立されると、通話処理（受話／送話処理）を開始したのち（図７のステップＢ１）、メモリ４内のタイマ作動中フラグＦＧを参照してそのセット有無をチェックする（ステップＢ２）。ここで、タイマ機能が非作動中であれば、ステップＢ７に移り、通話終了操作（オンフック操作）が行われたかを調べ、オンフック操作が行われるまでステップＢ１に戻るが、いま、タイマ作動中であるから（ステップＢ２でＹＥＳ）、タイマ測定値を取得し、タイムアップの正分前かをチェックする（ステップＢ３）。この結果、タイムアップ正分前であれば（ステップＢ３でＹＥＳ）、振動モータ１６に弱振動指令を与えて振動強度が“弱”のバイブレーション報知を２秒間行わせる（ステップＢ４）。以下、通話中は正分毎に弱バイブレーション報知を行わせるが、タイムアップの所定時間前（例えば、１０秒前）に達した場合には（ステップＢ５でＹＥＳ）、振動モータ１６に強振動指令を与えて振動強度が“強”のバイブレーション報知を２秒間行わせる（ステップＢ６）。
【００３８】
このような通話処理が終わると、図５のステップＡ２８に戻ってタイマ計測値をタイマ画面に表示させる。ここで、タイマ機能以外の別機能が選択された場合には（ステップＡ３２でＹＥＳ）、タイマ計測値をメイン表示部１２のピクトエリア１２ｂに縮小表示させたのち（ステップＡ３６）、待受以外の別機能が選択されたかを調べ（ステップＡ３７）、待受選択であれば、図４のステップＡ１に戻り、待受状態となる。なお、タイマを作動させたままの状態で待受以外の別機能（メール機能、テレビ機能）が選択された場合には、後述する図６のフローに移る。
【００３９】
このようにタイマ作動中に待受状態に移ると、図３（Ｃ−１）に示すようにその主画面１２ａは待受画面となり、ピクトエリア１２ｂにはタイマ計測値が縮小表示される。この待受状態において、タイマ作動中であるため（ステップＡ６でＹＥＳ）、ステップＡ７に移り、タイマ測定値を取得して待受画面のピクトエリア１２ｂに「電波受信状況」、「電池残量」と共に「タイマ測定値」を縮小表示させる（ステップＡ７）。これによって図３（Ｃ−１）に示すように、待受画面のピクトエリア１２ｂには、タイマ測定値「０４分００秒」が縮小表示される。そして、このタイマ測定値に基づいてタイムアップ正分前かをチェックし（ステップＡ８）、正分前であれば、このタイマ測定値をタイマの計測状況としてメイン表示部１２の主画面１２ａに２秒間表示させる（ステップＡ１１）。これによって主画面１２ａには、タイムアップ正分前毎に、図３（Ｃ−２）に示すようなタイマの計測状況が表示される。
【００４０】
タイムアップ正分前でなければ（ステップＡ８でＮＯ）、ステップＡ９に移り、タイマ測定値を取得してタイマ設定時間の半分の時間であるハーフタイム値に到達したか否かをチェックする。すなわち、タイマ起動時に初期設定されたタイマ設定時間が“３０分”であれば、タイマ測定値がハーフタイム値である“１５分”に達したか否かをチェックし、ハーフタイム値に達した際には（ステップＡ９でＹＥＳ）、上述の場合と同様に、タイマの計測状況を主画面１２ａに２秒間表示させる（ステップＡ１１）。以下、ステップＡ１８以降に移り、操作に応じた処理が行われる。
【００４１】
また、タイマ作動中に通話着信を検出した際には（ステップＡ２でＹＥＳ）、上述した図７のフロー（通話処理）に移る。この場合、通話処理（受話・送話処理）を開始したのち（ステップＢ１）、タイマ作動中かをチェックするが（ステップＢ２）、いま、タイマ作動中であるから、タイムアップ正分前を条件に（ステップＢ３）、“弱”のバイブレーション報知が行われ（ステップＢ４）、また、タイムアップの所定時間前（例えば、１０秒前）を条件に（ステップＢ５）、“強”のバイブレーション報知が行われる（ステップＢ６）。このような通話処理が終わると、再度、タイマ作動中かをチェックし（図４のステップＡ４）、作動中であれば、図３（Ｃ−２）に示すようにタイマの計測状況が主画面１２ａに２秒間表示させる（ステップＡ５）。
【００４２】
そして、タイムアップ所定時間前（１０秒前）に達したことを検出すると（ステップＡ１０でＹＥＳ）、この時点からタイムアップまでの間、タイマ計測値“０９秒”、“０８秒”、‥‥、“０１秒”を順次拡大表示させたのち、（ステップＡ１２）、タイムアップ時には（ステップＡ１３でＹＥＳ）、背面スピーカ８からアラーム音を発生出力させる（ステップＡ１３）。ここで、アラームの解除操作に応答して（ステップＡ１４でＹＥＳ）、待受画面のピクトエリア１２ｂに縮小表示されている「タイマ測定値」を消去すると共に（ステップＡ１６）、タイマ作動中フラグＦＧをリセットする処理を行ったのちに（ステップＡ１７）、待受状態に戻る（ステップＡ１）。
【００４３】
他方、タイマ機能以外の機能として、例えば、メール機能、テレビ機能などが選択された場合には（図４のステップＡ２１でＮＯ／図５のステップＢ３７でＮＯ）、図６のフローに移り、選択機能対応の画面（例えば、メール作成画面、テレビ画面など）をメイン表示部１２の主画面１２ａに表示出力させる（ステップＡ４０）。これによって図３（Ｄ−１）に示すようなメール作成画面が立ち上げ表示される。なお、テレビ機能が選択された場合には、メイン表示部１２の主画面１２ａにはテレビ画面が立ち上げ表示される。なお、上述したようにピクトエリア１２ｂにはタイマ計測値が縮小表示されている。そして、ＣＰＵ１は、タイマ作動中か否かをチェックし（ステップＡ４１）、タイマ非作動中であれば、ステップＡ４２に移り、通常と同様、機能終了が指示されるまでユーザ指示に応じて選択機能対応処理を実行すると共に、その実行結果を選択機能対応画面に表示出力させる（ステップＡ４２、Ａ４３）。
【００４４】
また、メール機能、テレビ機能などがフォアグランドとして選択されている状態において、タイマ機能がバックグランドとして作動中であれば（ステップＡ４１でＹＥＳ）、タイマ計測値を取得してタイムアップ正分前かをチェックし（ステップＡ４４）、正分前であれば、このタイマ測定値をタイマの計測状況として選択機能対応画面（メール作成画面、テレビ画面など）に２秒間ポップアップ表示させる（ステップＡ５３）。この結果、図３（Ｄ−２）に示すようにメール作成画面には、タイムアップ正分前毎にタイマの計測状況がポップアップ表示される。一方、タイムアップの正分前でなければ、ステップＡ４５に移り、タイマ測定値を取得してタイマ設定時間の半分の時間であるハーフタイム値に到達したか否かをチェックする。
【００４５】
ここで、タイマ測定値がハーフタイム値に達すると（ステップＡ４５でＹＥＳ）、上述の場合と同様に、このタイマ計測状況を選択機能対応画面に２秒間ポップアップ表示させる（ステップＡ５３）。そして、ステップＡ５４に移り、上述と同様に、ユーザ指示に応じて機能対応処理を実行すると共に、その実行結果を選択機能対応画面に表示出力させる（ステップＡ５４）。以下、機能終了が指示されるまで（ステップＡ５５）、上述のステップＡ４４に戻る。ここで、タイムアップ前に機能終了が指示されると（ステップＡ５５）、タイマ計測状況を２秒間表示させたのち（ステップＡ５６）、待受状態に戻る（図４のステップＡ１）。
【００４６】
タイムアップの所定時間前（１０秒前）に達した際に（ステップＡ４６）、ＣＰＵ１は、この時点からタイムアップまでの間、タイマ計測値“０９秒”、“０８秒”、‥‥、“０１秒”を順次拡大表示させる（ステップＡ４７）。そして、タイムアップ時には（ステップＡ４８でＹＥＳ）、背面スピーカ８からアラーム音を発生出力させる（ステップＡ７９）。ここで、アラーム解除操作に応答して（ステップＡ５０でＹＥＳ）、待受画面のピクトエリア１２ｂに縮小表示されている「タイマ測定値」を消去すると共に（ステップＡ５１）、タイマ作動中フラグＦＧをリセットしたのち（ステップＡ５２）、機能対応画面に戻る（ステップＡ４２）。
【００４７】
以上のように、この第１実施例においてＣＰＵ１は、タイマ機能の作動中にタイマ機能以外の機能（メール機能、テレビ機能など）が選択されて当該機能対応の画面が表示出力されている状態において、タイムアップの所定時間前（例えば、タイムアップ１０秒前）に達したか否かを判別し、所定時間前であれば、この時点からタイムアップまでの間、タイマ機能の計測状況を割り込み報知するようにしたから、タイマ機能をバックグランドとして動作させている場合でも、例えば、タイマ作動中にそのタイムアップまでの時間を利用してメール作成を行ったり、テレビを視聴しているような場合でも、タイムアップ９秒前、８秒前、‥‥、１秒前のように継続したカウントダウン報知が可能となり、タイムアップの前にその計測状況を事前確認することができ、タイムアップ時の迅速対応が可能となる。
【００４８】
この場合、タイムアップの所定時間前（例えば、１０秒前）に達した際に、その計測状況を強調表示するようにしたから、タイムアップ前に計測状況を事前確認することができるほか、表示サイズを拡大によってユーザの注意を効果的に喚起させることが可能となる。また、タイマ機能がバックグランドとして作動している場合には、各種ステータスを表示するピクトエリア内に「電波受信状況」、「電池残量」のほか、「タイマ計測値」を縮小表示させることができる。また、タイムアップ正分前毎にタイマ計測状況を一時的に割り込み報知したり、タイマ設定時間の半分の時間であるハーフタイム値に達した際に、タイマ計測状況を一時的に割り込み報知することもできる。
【００４９】
また、タイマ機能以外の機能がフォアグランドとして選択されている場合において、タイマ機能の計測状況を割り込み報知する際に、この割り込み報知の種類を当該選択機能に応じて変更するようにしたから、通話機能が選択されている通話中であれば、画面は見ないのでバイブレーションによる割込報知を行い、メール機能、テレビ機能などが選択されている場合には、ポップアップ表示による割込報知を行うことができる。また、タイマ機能以外の機能が選択されてその機能が終了した際に、ＣＰＵ１は、タイマ機能が作動中か否かを判別し、作動中であれば、タイマ機能の計測状況を確認表示するようにしたから、タイマ機能をバックグランドとして動作させている場合でも、タイマ機能以外の機能の終了を契機にその計測状況を確認することができる。
（実施例２）
【００５０】
以下、この発明の第２実施例について図８を参照して説明する。
この第２実施例は、タイマ機能のタイムアップ時にタイマ機能以外の他の機能（例えば、メール機能、テレビ機能）が選択されている場合には、アラーム音を含まない割り込みタイムアップ報知を行い、他の機能の終了後あるいは当該他の機能が非選択の場合には、アラーム音を含めた正規のタイムアップ報知を行うようにしたものである。
ここで、第１及び第２実施例において基本的あるいは名称的に同一のものは、同一符号を付して示し、その説明を省略すると共に、以下、第２実施例の特徴部分を中心に説明するものとする。
【００５１】
図８は、第２実施例において、タイマ機能の起動指示に応じて実行開始される動作を示したフローチャートである。
先ず、ＣＰＵ１は、任意のタイマ設定時間（例えば、３０分）をタイマ領域ＴＭに初期設定したのち（ステップＣ１）、タイマ開始キーＫ１の操作に応答して（ステップＣ２）、カウントダウンタイマの計測動作を開始させる（ステップＣ３）。そして、タイマ計測値を取得してタイムアップに達したかをチェックし（ステップＣ４）、タイムアップに達するまで待ち状態となる。ここで、タイムアップとなると、タイマ機能以外の他の機能（例えば、メール機能、テレビ機能）が選択されているか、つまり、作動中であるかをチェックする（ステップＣ５）。
【００５２】
いま、タイムアップ時に他の機能が作動中であれば、アラーム音を含まない割り込みタイムアップ報知として、ＬＥＤ１５及び振動モータ１６を駆動させて点滅報知及びバイブレーション報知が５秒間行われる（ステップＣ６）。そして、このタイムアップ報知を停止させる解除操作が行われたかをチェックしたり（ステプＣ７）、当該他の機能が終了したかをチェックし（ステップＣ８）、他の機能の終了時には、タイマ計測値をメイン表示部１２の主画面１２ａに表示させたのち（ステップＣ９）、上述のステップＣ７に戻り、解除操作が行われるまで待機する。
【００５３】
一方、タイムアップ時に他の機能が終了している場合あるいは他の機能が非選択（非作動）の場合には（ステップＣ５でＮＯ）、アラーム音を含めた正規のタイムアップ報知として、アラーム音の発生と強振動によるバイブレーション報知のほか、タイマ画面にタイムアップアニメーション表示を１分間継続する（ステップＣ１０）。この場合、例えば、タイムアップ時のタイマ計測値である“００”の数値表示を一方向に回転させたり、拡大／縮小を繰り返したり、動物の図形などを動的表示するなどのアニメーション表示が行われる。そして、このタイムアップ報知を停止させる解除操作が行われたかをチェックし（ステップＣ１１）、この解除操作が行われるまで待機する。
【００５４】
以上のように、この第２実施例においてＣＰＵ１は、タイマ機能のタイムアップ時にタイマ機能以外の他の機能（メール機能、テレビ機能など）が選択されているか否かを判別し、他の機能が選択されている場合には、アラーム音を含まない割り込みタイムアップ報知を行い、他の機能が終了している場合あるいは他の機能が非選択の場合には、アラーム音を含めた正規のタイムアップ報知を行うようにしたから、タイマ機能がバックグランドあるいはフォアグランドとして動作しているか否かに拘らずにタイムアップ報知が可能となるほか、バックグランド動作時でも他の機能の邪魔にならない報知が可能となる。
【００５５】
なお、上述した各実施例においては、タイマ機能は、カウントダウンタイマ（減算タイマ）を例示したが、加算タイマであってもよく、また、上述した各実施例においては、タイマ計測値（残り時間／経過時間）をタイマ計測状況として数値表示するようにしたが、タイマ設定時間に対して残り時間／経過時間の割合を円グラフ形式あるいは棒グラフ形式などでステータス表示するようにしてもよく、その表示形態は任意である。
【００５６】
また、タイムアップの所定時間前（例えば、１０秒前）をユーザが任意に設定可能としてもよい。また、タイムアップの正分毎にタイマ計測状況を表示するようにしたが、１０分間隔、６０分間隔などであってもよく、このような節目時間をユーザが任意に設定可能としてもよい。
更に、上述した実施例においては、タイマ設定時間の半分の時間（ハーフタイム値）にタイマ計測状況を表示するようにしたが、タイマ設定時間に対する所定の割合（例えば、１／３、１／４など）毎にタイマ計測状況を表示するようにしてもよい。
【００５７】
また、タイマ計測状況の強調表示は、拡大表示（切替表示）あるいはポップアップ表示に限らず、例えば、表示色の変更、点滅表示などであってもよい。
また、タイマ機能以外の他の機能としてはメール機能、テレビ機能に限らず、カメラ機能、オーディオ機能、ラジオ機能などであってもよい。
その他、タイマ機能付きの携帯電話装置に限らず、例えば、タイマ機能付きのＰＤＡ、電子カメラ、電子腕時計、音楽再生機などの携帯端末装置であっても同様に適用可能である。
【図面の簡単な説明】
【００５８】
【図１】携帯端末装置として適用した携帯電話装置の基本的な構成要素を示したブロック図。
【図２】折り畳み型の携帯電話装置を開いた状態の概略斜視図。
【図３】機能選択に応じて変遷するメイン表示部１２の主画面１２ａ及びピクトエリア１２ｂの表示変遷図。
【図４】電源投入に伴って実行開始される携帯電話装置の全体動作を示したフローチャートであり、
【図５】図４に続く、フローチャート。
【図６】図４に続く、フローチャート。
【図７】通話処理の詳細を示したフローチャート。
【図８】第２実施例において、タイマ機能の起動指示に応じて実行開始される動作を示したフローチャート。
【符号の説明】
【００５９】
１  ＣＰＵ
２  記憶部
５  電話通信部
６  音響制御部
８  背面スピーカ
１０  テレビ受信部
１１  映像制御部
１２  メイン表示部
１２ａ  主画面
１２ｂ  ピクトエリア
１４  キー操作部
１５  ＬＥＤ
１６  振動モータ
【図１】
0004475244.tif 000002
【図２】
0004475244.tif 000003
【図３】
0004475244.tif 000004
【図４】
0004475244.tif 000005
【図５】
0004475244.tif 000006
【図６】
0004475244.tif 000007
【図７】
0004475244.tif 000008
【図８】
0004475244.tif 000009